(57)【要約】【課題】被撮影者の略全身を自然な姿勢を保ちながら撮影することにより画像を得る。【解決手段】撮影システム１０は筐体２０と、前記筐体２０内に設けられた魚眼レンズ１２ａを含む撮影手段１２と、制御部１１とを有する。制御部１１は魚眼レンズ１２ａを通して得られた被撮影者の画像を広角レンズで撮影した画像となるよう変換して変換画像を得る画像処理部１１ａを有する。【選択図】図２
2019129353.tif 000002
【特許請求の範囲】
【請求項１】
被撮影者を囲む筐体と、
前記筐体内に設けられ、被撮影者の画像を得る撮影手段と、
前記撮影手段により得られた被撮影者の画像が送られる制御部と、
前記筐体内に設けられた操作パネルとを備え、
撮影手段は魚眼レンズを含み、前記制御部は前記魚眼レンズを通して前記撮影手段により得られた被撮影者の画像を広角レンズで撮影した被撮影者の画像となるよう変換して変換画像を得る画像処理部を有する、撮影システム。
【請求項２】
制御部は、前記操作パネルにより所望のテンプレートが選択された際、選択されたテンプレートと前記変換画像とをクロマキー合成してクロマキー合成画像を得るクロマキー合成部を有する、請求項１記載の撮影システム。
【請求項３】
前記撮影手段は、前記被撮影者の顔に正対する位置に配置されている、請求項１または２記載の撮影システム。
【請求項４】
前記操作パネルは、前記画像処理部で得られた変換画像を表示する、請求項１乃至３のいずれか記載の撮影システム。
【請求項５】
前記操作パネルは、前記クロマキー合成部で合成されたクロマキー合成画像を表示する、請求項２乃至４のいずれか記載の撮影システム。
【発明の詳細な説明】
【技術分野】
【０００１】
本発明は、被撮影者を撮影する撮影システムに関する。
【背景技術】
【０００２】
従来、被撮影者を撮影する撮影システムが知られている。このような撮影システムは被撮影者が入る筐体を有し、この筐体内に撮影手段（カメラ）と投光部とが設置されている。
【０００３】
従来の撮影システムでは、筐体内が狭いため、カメラと被撮影者との距離が短くなっている。このため、撮影システムのカメラでは被撮影者の上半身のみしか撮影することができない。
【０００４】
このような場合、筐体の形状を大きくして被撮影者の全身を撮影することも考えられるが、筐体の形状を大きくすることはコスト増加につながる。他方、カメラを上方に配置して上方から下方に向かって被撮影者の全身を撮影することも考えられるが、カメラを上方に配置した場合、被撮影者は上方を向く必要があり、被撮影者の姿勢が不自然なものとなる。
【先行技術文献】
【特許文献】
【０００５】
【特許文献１】特開２００３−２７０７１４号公報
【特許文献２】特開平１１−１９１８５６号公報
【発明の概要】
【発明が解決しようとする課題】
【０００６】
本発明はこのような点を考慮してなされたものであり、筐体を過度に大きくすることなく、被撮影者の全身を自然な姿勢を保ちながら撮影した画像を得ることができる撮影システムを提供することを目的とする。
【課題を解決するための手段】
【０００７】
本発明は、被撮影者を囲む筐体と、前記筐体内に設けられ、被撮影者の画像を得る撮影手段と、前記撮影手段により得られた被撮影者の画像が送られる制御部と、前記筐体内に設けられた操作パネルとを備え、撮影手段は魚眼レンズを含み、前記制御部は前記魚眼レンズを通して前記撮影手段により得られた被撮影者の画像を広角レンズで撮影した被撮影者の画像となるよう変換して変換画像を得る画像処理部を有する、撮影システムである。
【０００８】
本発明は、制御部は、前記操作パネルにより所望のテンプレートが選択された際、選択されたテンプレートと前記変換画像とをクロマキー合成してクロマキー合成画像を得るクロマキー合成部を有する、撮影システムである。
【０００９】
本発明は、前記撮影手段は、前記被撮影者の顔に正対する位置に配置されている、撮影システムである。
【００１０】
本発明は、前記操作パネルは、前記画像処理部で得られた変換画像を表示する、撮影システムである。
【００１１】
本発明は、前記操作パネルは、前記クロマキー合成部で合成されたクロマキー合成画像を表示する、撮影システムである。
【発明の効果】
【００１２】
本発明によれば、筐体を過度に大きくすることなく、被撮影者の全身を自然な姿勢を保ちながら撮影した画像を得ることができる。
【図面の簡単な説明】
【００１３】
【図１】図１は本実施の形態による撮影システムの全体を示す図。
【図２】図２は撮影システムの機能的構成を示すブロック図。
【図３】図３は筐体内の構成部材の配置状態を示す図。
【図４】図４は撮影システムの撮影作業を示すフローチャート。
【図５Ａ】図５Ａは魚眼レンズにより得られた画像を示す図。
【図５Ｂ】図５Ｂは変換画像を示す図。
【図５Ｃ】図５Ｃはクロマキー合成画像を示す図。
【発明を実施するための形態】
【００１４】
以下、図面を参照して本発明の実施の形態について説明する。  
図１乃至図５Ｃは本発明による撮影システムの一実施の形態を示す図である。
【００１５】
図１乃至図３に示すように、撮影システム１０は、底板２１と、天板２２と、側板２３とを有する筐体２０と、筐体２０内を撮影空間２０Ａと収納空間２０Ｂとに区画する区画壁２０Ｃとを備え、筐体２０の収納空間２０Ｂ内の区画壁２０Ｃ側にはカメラ（撮影手段）および投光部３４と、操作パネル１５と、検知センサ１３と、キャッシャー３３とが設けられている。また底板２１上に金属板からなる床面２５が配置されている。ここで、筐体２０は後述する被撮影者Ｐを囲うものであり、囲い体として機能する。囲い体としては、被撮影者Ｐを上下方向および側方全域から囲うものに限らず、前面および後面のみから被撮影者Ｐを囲うものであってもよい。さらにまた収納空間２０Ｂ内のうち、区画壁２０Ｃに対向する側板２３側には、下方から上方へ向かって順次プリンタ１７と制御部１１とが配置されている。
【００１６】
また底板２１と床面２５との間には図示しない防振装置が介在されている。
【００１７】
また上記構成部材のうち、操作パネル１５は、被撮影者Ｐがカメラ１２に正対している場合、カメラ１２で撮影された画像（撮影画像）を被撮影者Ｐが確認するものであり、かつ操作パネル１５は被撮影者Ｐが操作するためのパネルとなっている。この場合、操作パネル１５には、後述する画像処理部１１ａで得られた変換画像２が表示され、この変換画像２を被撮影者Ｐが確認することができる。この場合、操作パネル１５には、後述するクロマキー合成部１１ｂで得られたクロマキー合成画像５も表示することができる。
【００１８】
上述のように筐体２０の収納空間２０Ｂ内の区画壁２０Ｃ側には、カメラ１２、投光部３４、操作パネル１５が設置され、撮影空間２０Ａ内のうち、区画壁２０Ｃに対向する側板２３側には、入手した画像から被撮影者の全身を切り抜くクロマキー処理用の緑色の背景板２６が設けられている。
【００１９】
また筐体２０の収納空間２０Ｂ内の区画壁２０Ｃ側には、上述のように操作パネル１５の下方に、検知センサ１３と、キャッシャー３３とが上方から下方に向かって順次配置されている。
【００２０】
また筐体２０の側板２３の外面には、プリンタ１７の取出口１７ａが設けられている。
【００２１】
さらに筐体２０の収納空間２０Ｂ内には、制御部１１およびプリンタ１７に加えて、記憶部１６、プリンタ１７、Ｉ／Ｏ（Input/Output）ユニット３１、スピーカ３２が内蔵されている。
【００２２】
なお、上述したカメラ１２は被撮影者Ｐを撮影するためのカメラであり、筐体２０内で被撮影者Ｐの静止画像、又は被撮影者Ｐの動画像を得るようになっている。
【００２３】
図２に示すように、制御部１１は、ＣＰＵ（Central Processing Unit）、ＲＡＭ（Random Access Memory）から構成され、記憶部１６に格納されているシステムプログラムや顔画像撮影処理プログラム、画像処理プログラム等の各種プログラムを読み出してＲＡＭに展開し、当該プログラムに従って各部の動作を集中制御する。そして後述するカメラ１２により撮影された画像により、制御部１１は一ショット毎の画像ショットを生成する。
【００２４】
カメラ１２は、光学レンズ、ＣＣＤ（Charge Coupled Device）等の光学センサ、Ａ／Ｄ（Analog/Digital）変換部等から構成され、撮影時には光学レンズを介して入力される被写体像を光学センサにより光電変換して画像信号（アナログ）を生成する。そして、Ａ／Ｄ変換部によりアナログ画像信号からデジタル画像データを得て、当該デジタル画像データを制御部１１に出力する。
【００２５】
検知センサ１３は、撮影システム１０の撮影空間１０Ａ内に被撮影者Ｐが入室したことを検知する光学センサ等であり、その検知信号を制御部１１に出力する。
【００２６】
操作パネル１５は、タッチパネルや、写真種類を選択するための写真種選択スイッチ（以下、ＳＷ）、撮影開始を指示するための撮影ＳＷ、撮影画像のプリント出力を指示するためのプリントＳＷ等の各種機能キーを有し、操作されたキーに対応する操作信号を制御部１１に出力する。
【００２７】
また操作パネル１５は、ＬＣＤ（Liquid Crystal Display）等を有し、制御部１１からの制御信号に従って、撮影手順を説明するガイド画面、写真種類を選択するための選択画面等の各種操作画面を表示する。また操作パネル１５は被撮影者Ｐがカメラ１２に正対している場合、カメラ１２により撮影された被撮影者Ｐの顔画像等を表示する。
【００２８】
記憶部１６は、システムプログラムの他、顔画像撮影処理プログラム、画像処理プログラム等の各種処理プログラム及び各プログラムで処理されたデータ等を記憶する。また記憶部１６は後述する複数のテンプレート（被撮影者の画像回りの背景画像）３（図５Ｃ参照）を格納している。
【００２９】
プリンタ１７は、制御部１１から入力された画像データに基づいてプリント出力を行う。プリンタ１７のプリント方式としては、色材を昇華、転移させて画像を形成する昇華型転写方式が適用されている。しかしながら、記録媒体と受像材料とを重ね合わせて熱を加えることによって記録媒体の記録層を受像材料の受像層に転移させて画像を形成する溶融転写記録方式を適用することとしてもよいし、電子写真方式、インクジェット方式やその他のプリント方式であってもよい。また、銀塩写真像を形成するものであってもよい。
【００３０】
Ｉ／Ｏユニット３１は、制御部１１と、スピーカ３２、キャッシャー３３、投光部３４との間で情報のやり取りを仲介するインターフェイスであり、制御部１１からの制御信号をスピーカ３２、キャッシャー３３、投光部３４に送信するとともに、スピーカ３２、キャッシャー３３、投光部３４からの信号等を制御部１１に出力する。
【００３１】
スピーカ３２は、Ｉ／Ｏユニット３１を介して制御部１１から入力されるガイド用アナウンスの音声信号を出力する。
【００３２】
キャッシャー３３は、硬貨や紙幣の入金口、釣銭の返金口等を備えた金銭登録機である。キャッシャー３３は、入金口から入金された金額を検出して釣銭の金額を算出し、算出された釣銭金額分の硬貨又は紙幣を返金口に排出して料金精算を行う。
【００３３】
投光部３４は、制御部１１から指示された発光タイミング、発光量で発光を行う。
【００３４】
また、カメラ１２は魚眼レンズ１２ａを内蔵しており、カメラ１２により魚眼レンズ１２ａを通して被撮影者Ｐの略全身を撮影した画像１を入手することができる（図５Ａ参照）。魚眼レンズ１２ａを通して得られた被撮影者Ｐの全身を撮影した画像は、制御部１１の画像処理部１１ａへ送られ、この画像処理部１１ａにおいて、画像は広角レンズで撮影した被撮影者Ｐの画像となるよう変換され、画像処理部１１ａにおいて変換画像２が生成される（図５Ｂ参照）。
【００３５】
この場合、画像処理部１１ａにおいて、被撮影者Ｐの略全身の画像１を所定の計算式を用いて変換画像へ簡単に変換することができる。
【００３６】
また制御部１１は、被撮影者Ｐが操作パネル１５を操作して記憶部１６に格納された複数のテンプレート３から所望のテンプレート３を選択した際、選択されたテンプレート３と変換画像２とをクロマキー合成するクロマキー合成部１１ｂを更に有する。
【００３７】
そしてクロマキー合成部１１ｂにおいて、テンプレート３と変換画像２とをクロマキー合成することによりクロマキー合成画像５が生成され、このクロマキー合成画像５は制御部１１から操作パネル１５側へ送られ、この操作パネル１５上にクロマキー合成画像５が表示される。
【００３８】
次にこのような構成からなる本実施の形態の作用について図４により説明する。
【００３９】
まず被撮影者Ｐが筐体２０内に入ると、検知センサ１３により被撮影者Ｐが検出される。このとき、操作パネル１５上にガイダンスが表示される。同時にスピーカ３２から撮影ガイドに係るアナウンス音声が出力される。
【００４０】
次いで、キャッシャー３３へ、料金が投入され、キャッシャー３３において入金された金額のチェックが行われ、操作パネル１５上に操作画面が表示される。
【００４１】
以下、図４に示すように、操作パネル１５に表示されたガイダンスに沿って撮影作業が行なわれる。
【００４２】
被撮影者Ｐは操作パネル１５上で所望のテンプレート３を選択する。この場合、記憶部１６内に予め被撮影者Ｐの画像回りの背景画像となる複数のテンプレート３が格納されている。
【００４３】
次にカメラ１２の魚眼レンズ１２ａを通して被撮影者Ｐの全身を撮影した画像１が得られる（図５Ａ参照）。この被撮影者Ｐの画像１は、制御部１１の画像処理部１１ａへ送られ、この画像処理部１１ａにおいて魚眼レンズ１２ａを通して得られた画像１が広角レンズで撮影して得られた画像となるよう変換される（図５Ｂ参照）。この広角レンズで撮影して得られた画像となるよう変換された画像は変換画像２となる。
【００４４】
図３に示すように、魚眼レンズ１２ａを通して得られた画像１は、撮影角度Ｗ１の範囲をもち、通常の広角レンズで撮影する撮影角度Ｗ２の範囲より大きな範囲となっている。
【００４５】
次に変換画像２はクロマキー合成部１１ｂへ送られ、このクロマキー合成部１１ｂにおいて、変換画像２は操作パネル１５上で予め選択された所望のテンプレート３とともにクロマキー合成され、クロマキー合成画像５が得られる。
【００４６】
制御部１１のクロマキー合成部１１ｂにおいて変換画像２とテンプレート３を合成して得られた合成画像５は、その後制御部１１から操作パネル１５へ送られ、この操作パネル１５に合成画像５が表示される。
【００４７】
被撮影者Ｐは操作パネル１５に表示された合成画像５を確認し、操作パネル１５を操作する。制御部１１は操作パネル１５の操作後、所定時間経過後にシャッタを切る。このことにより、画像ショットが生成される。
【００４８】
その後、合成画像５の画像ショットに基づいてプリンタ１７により写真印刷物が生成され、写真印刷物はプリンタ１７の取出口１７ａから排出される。あるいは、この画像ショットをＷｉＦｉルータ１８およびネットワークを介して外部サーバ（図示せず）に送ってもよい。
【００４９】
以上のように本実施の形態によれば、筐体を過度に大きくすることなく、魚眼レンズ１２ａを用いて被撮影者Ｐの全身の画像１得ることができ、この画像１を広角レンズで撮影した通常の画像に変換することにより、被撮影者Ｐの略全身の画像を得ることができる。
【００５０】
この場合、例えば上方に配置したカメラにより被撮影者Ｐの全身を撮影する場合に比べて、自然な姿勢を保ちながら被撮影者Ｐの略全身を撮影した画像を得ることができる。
【符号の説明】
【００５１】
１    被撮影者の画像
２    変換画像
３    テンプレート
５    合成画像
１０  撮影システム
１１  制御部
１１ａ  画像処理部
１１ｂ  クロマキー合成部
１２  カメラ
１２ａ  魚眼レンズ
１３  検知センサ
１５  操作パネル
１６  記憶部
１７  プリンタ
１７ａ  取出口
２０  筐体
２１  底板
２２  天板
２３  側板
３１  Ｉ／Ｏユニット
３２  スピーカ
３３  キャッシャー
３４  投光部
【図１】
2019129353.tif 000003
【図２】
2019129353.tif 000004
【図３】
2019129353.tif 000005
【図４】
2019129353.tif 000006
【図５Ａ】
2019129353.tif 000007
【図５Ｂ】
2019129353.tif 000008
【図５Ｃ】
2019129353.tif 000009